(57)【要約】【課題】取り付け精度を向上させ、かつ、施工およびメンテンスを容易に行えるとともに、限定された設置スペースの中で効率的に冷却を行うことが可能なマルチビジョン表示装置を提供することを目的とする。【解決手段】マルチビジョン表示装置は、壁面に複数のディスプレイ１ａ〜１ｉを縦方向および横方向に配置したものである。さらにマルチビジョン表示装置は、複数のディスプレイ１ａ〜１ｉを壁面に取り付けるための補助壁２０を備え、補助壁２０は、壁面と複数のディスプレイ１ａ〜１ｉとの間に配置された複数の中空フレーム７を備えている。【選択図】図３
2014232244.tif 000002
【特許請求の範囲】
【請求項１】
壁面に複数のディスプレイを縦方向および横方向に配置したマルチビジョン表示装置であって、
前記複数のディスプレイを前記壁面に取り付けるための補助壁を備え、
前記補助壁は、前記壁面と前記複数のディスプレイとの間に配置された複数の中空部材を備えた、マルチビジョン表示装置。
【請求項２】
前記補助壁は、前記中空部材の内部空間を複数に仕切り、かつ、前記中空部材の長手方向に延びるリブをさらに備えた、請求項１記載のマルチビジョン表示装置。
【請求項３】
前記中空部材は、前記壁面と前記複数のディスプレイとの間において各前記ディスプレイの横方向両端部に対応する位置にそれぞれ配置され、
前記補助壁は、前記中空部材とで各前記ディスプレイ毎に背面側を仕切る複数の仕切り部材と、前記中空部材において各前記ディスプレイの対角位置に対応する位置に設けられるとともに前記内部空間と連通する吸気用または排気用開口とをさらに備えた、請求項２記載のマルチビジョン表示装置。
【請求項４】
前記中空部材の内部空間は、前記リブを用いて３つの内部空間に仕切られ、
前記３つの内部空間のうちの中央の内部空間は、各前記ディスプレイに接続される配線を通すための空間であり、
前記中央の内部空間と隣接する内部空間は、それぞれが前記吸気用または排気用開口と連通する吸気用または排気用通路である、請求項３記載のマルチビジョン表示装置。
【請求項５】
前記補助壁は、前記吸気用または排気用開口の開口面積を調整する調整部材をさらに備えた、請求項３または請求項４記載のマルチビジョン表示装置。
【発明の詳細な説明】
【技術分野】
【０００１】
本発明は、複数の薄型ディスプレイを横方向および縦方向に組み合わせて大画面を構成するマルチビジョン表示装置に関するものである。
【背景技術】
【０００２】
屋内の壁面広告において、４０〜６０インチサイズ程度の薄型ディスプレイ（以下「ディスプレイ」という）などを複数組み合わせて大画面を構成するマルチビジョン表示装置を用いることが一般的である。ディスプレイの設置方法としては、壁に埋め込む方法、および壁面にディスプレイを覆う筐体を設ける方法などがあるが、設置スペースが制限される場合が多く、マルチビジョン表示装置の薄型化および省スペース化が求められている。
【０００３】
また、複数のディスプレイから発生する熱を効率的に排熱する必要があり、例えば特許文献１には、冷却構造を備えたマルチビジョン表示装置が開示されている。
【先行技術文献】
【特許文献】
【０００４】
【特許文献１】特開平８−１４００２４号公報
【発明の概要】
【発明が解決しようとする課題】
【０００５】
ディスプレイに接続される信号・電源などの配線類は多いが、設置スペースが狭いため効率的な配線を行うことができず、マルチビジョン表示装置の施工およびメンテンスにおいて時間がかかるなどの問題があった。また、ディスプレイを取り付ける壁面、またはディスプレイを壁に取り付ける際に使用される部材の精度が高くなく、さらに当該部材の強度が低い場合には、ディスプレイの取り付け精度が悪くなるなどの問題があった。
【０００６】
さらに、設置スペースが狭いことから、複数の薄型ディスプレイから発生する熱を効率的に排熱するための冷却構造を備えることが難しいため、マルチビジョン表示装置の表示性能を阻害するとともに故障の要因になることがあった。
【０００７】
特許文献１に記載のマルチビジョン表示装置では、各ディスプレイからの発熱した空気にムラが生じるなどディスプレイ自身が排熱した熱で温められ、冷却構造としては十分な機能を果たしていない。
【０００８】
そこで、本発明は、取り付け精度を向上させ、かつ、施工およびメンテンスを容易に行えるとともに、限定された設置スペースの中で効率的に冷却を行うことが可能なマルチビジョン表示装置を提供することを目的とする。
【課題を解決するための手段】
【０００９】
本発明に係るマルチビジョン表示装置は、壁面に複数のディスプレイを縦方向および横方向に配置したマルチビジョン表示装置であって、前記複数のディスプレイを前記壁面に取り付けるための補助壁を備え、前記補助壁は、前記壁面と前記複数のディスプレイとの間に配置された複数の中空部材を備えたものである。
【発明の効果】
【００１０】
本発明によれば、複数のディスプレイを壁面に取り付けるための補助壁を備え、補助壁は、壁面と複数のディスプレイとの間に配置された複数の中空部材を備えたため、補助壁は、軽量でかつ所定の剛性を有し歪みが少なくなることから、複数のディスプレイの取り付け精度が向上する。また、中空部材の内部空間に沿って配線を行うことができるため、きれいに整線することができ、施工・メンテナンスを容易に行うことが可能となる。
【００１１】
さらに、中空部材の内部空間に空気を流動させることができるため、限定された設置スペースの中で効率的にディスプレイを冷却することが可能となる。
【図面の簡単な説明】
【００１２】
【図１】実施の形態１に係るマルチビジョン表示装置の斜視図である。
【図２】図１のII-II線断面図である。
【図３】補助壁の斜視図である。
【図４】図３の一点鎖線で囲んだ部分IVの拡大図である。
【図５】補助壁内の空気の流れを示す図である。
【図６】図２の一点鎖線で囲んだ部分VIの拡大図である。
【図７】実施の形態２に係るマルチビジョン表示装置の斜視図である。
【図８】図７のVIII-VIII線断面図である。
【図９】前提技術に係るマルチビジョン表示装置の断面図である。
【発明を実施するための形態】
【００１３】
＜実施の形態１＞
本発明の実施の形態１について、図面を用いて以下に説明する。図１は、実施の形態１に係るマルチビジョン表示装置の斜視図であり、図２は、図１のII-II線断面図である。一般的な電飾板の広告は、壁をくり抜いた空間などに設置されている。マルチビジョン表示装置は、電飾板にとって替わるものであり、電飾板の場合と同様の設置スペースへの設置が可能でなければならない。
【００１４】
図１と図２に示すように、マルチビジョン表示装置は、複数の薄型ディスプレイ１ａ〜１ｉ（ディスプレイ）と、補助壁２０と、保護材３とを備えている。マルチビジョン表示装置は、壁２００をくり抜いて形成された凹部２（空間）に施工され、複数の薄型ディスプレイ（以下「ディスプレイ」という）１ａ〜１ｉを縦方向および横方向にタイル状に組み合わせることで、例えば９面のマルチビジョンが構成され、ディスプレイ１ａ〜１ｉの前面をガラスまたは透明なアクリルなどで形成された保護材３で覆い保護される構造となっている。保護材３の下端部には吸気口４が配置され、保護材３の上端部には排気口５が配置されている。
【００１５】
次に、補助壁２０について説明する。補助壁２０は、壁２００をくり抜いて形成された凹部２の壁面に複数のディスプレイ１ａ〜１ｉを取り付けるための部材であり、複数の中空フレーム７（中空部材）と、仕切り板１３（仕切り部材）とを備え、各中空フレーム７は、２つのリブ１０３と、側面吸気口１１ａ〜１１ｃ（吸気用開口）と、側面排気口１２ａ〜１２ｃ（排気用開口）と、吸気用Ｌ型プレート９ａ〜９ｃ（調整部材）と、排気用Ｌ型プレート１０ａ〜１０ｃ（調整部材）とを備えている。
【００１６】
ディスプレイ１ａ〜１ｉは、取り付け金具１６を介して中空フレーム７同士を連結する仕切り板１３に取り付けられ、メンテナンスのため取り付け金具１６を介して前後方向（図２の矢印方向）に可動できるように構成されている。
【００１７】
中空フレーム７は、縦方向に延びるように形成され、中空フレーム７の長手方向の長さは、例えば、縦方向に配置された各列の３つのディスプレイの縦方向の長さと同じ寸法に形成されている。中空フレーム７は、凹部２の壁面とディスプレイ１ａ〜１ｉとの間においてディスプレイ１ａ〜１ｉの横方向両端部に対応する位置にそれぞれ配置されている。中空フレーム７は、縦方向（中空フレーム７の長手方向）に延びる、例えば２つのリブ１０３を用いて複数（例えば３つ）の内部空間を有するように仕切られており、図２において左側から、角筒状の左側フレーム部１００、ディスプレイ１ａ〜１ｉ側（前方）に開口する凹部１０４、角筒状の右側フレーム部１０１がそれぞれ形成されている。
【００１８】
凹部１０４においてディスプレイ１ａ〜１ｉの上端部と下端部に対応する位置に、固定穴１０４ａ（図６参照）が形成され、中空フレーム７は、固定穴１０４ａを介してアンカーボルト１４で壁２００に固定されている。中空フレーム７の２つのリブ１０３は、左側フレーム部１００および右側フレーム部１０１の前壁よりも前方（ディスプレイ１ａ〜１ｉ側）に突出するように形成されている。また、２つのリブ１０３は、ディスプレイ１ａ〜１ｉの背面に密着した状態で固定され、中空フレーム７を左右（横方向）に仕切っている。図１と図２に示すように、ディスプレイ１ａ〜１ｉで構成されたマルチビジョン表示装置は、狭い空間（凹部２）にコンパクトに設置可能な構造となっている。
【００１９】
次に、中空フレーム７に設けられた側面吸気口１１ａ〜１１ｃ、側面排気口１２ａ〜１２ｃ、吸気用Ｌ型プレート９ａ〜９ｃおよび排気用Ｌ型プレート１０ａ〜１０ｃについて説明する。図３は、補助壁２０の斜視図である。図３に示すように、中空フレーム７の右側フレーム部１０１の下端１０６は、図１に示す吸気口４と直結され、右側フレーム部１０１の内部空間は、吸気口４と連通している。中空フレーム７の左側フレーム部１００の上端１０７は、図１に示す排気口５と直結され、左側フレーム部１００の内部空間は、排気口５と連通している。
【００２０】
中空フレーム７は、左右方向に隣接する中空フレーム７同士を連結する仕切り板１３で連結されている。より具体的には、仕切り板１３は、凹部２の壁面に密着した状態で、各ディスプレイ１ａ〜１ｉの上端部と下端部に対応する位置に配置され、左右方向に隣接する中空フレーム７同士を連結している。これにより、中空フレーム７と仕切り板１３と凹部２の壁面とで、各ディスプレイ１ａ〜１ｉの背面側が仕切られ、それぞれの空間が構成されている。
【００２１】
中空フレーム７においてディスプレイ１ａ〜１ｉの表示面の対角位置に対応する位置に、側面吸気口１１ａ〜１１ｃまたは側面排気口１２ａ〜１２ｃが設けられている。より具体的には、右側フレーム部１０１の右側面において各ディスプレイ１ａ〜１ｉの下端部に対応する位置に側面吸気口１１ａ〜１１ｃが設けられ、左側フレーム部１００の左側面において各ディスプレイ１ａ〜１ｉの上端部に対応する位置に側面排気口１２ａ〜１２ｃが設けられている。また、側面吸気口１１ａ〜１１ｃには、それぞれの開口面積を調整する吸気用Ｌ型プレート９ａ〜９ｃが設けられ、側面排気口１２ａ〜１２ｃには、それぞれの開口面積を調整する排気用Ｌ型プレート１０ａ〜１０ｃが設けられている。
【００２２】
次に、吸気用Ｌ型プレート９ａ〜９ｃおよび排気用Ｌ型プレート１０ａ〜１０ｃの詳細について説明する。図４は、図３の一点鎖線で囲んだ部分IVの拡大図である。
【００２３】
先ず、吸気用Ｌ型プレート９ａ〜９ｃについて説明する。図４に示すように、右側フレーム部１０１の右側面には、長手方向に沿って２本の凸状溝１０２がそれぞれ平行に形成されている。側面吸気口１１ａ〜１１ｃの上側には、一方の凸状溝１０２内に挿入されたスライドナット１７と固定ネジ１５とで、吸気用Ｌ型プレート９ａ〜９ｃがそれぞれ所定の位置に取り付けられている。吸気用Ｌ型プレート９ａ〜９ｃは、側面吸気口１１ａ〜１１ｃの開口面積を調整できるように、スライドナット１７を介して上下方向(図４において矢印方向)に摺動できる構造になっている。
【００２４】
次に、吸気用Ｌ型プレート９ａ〜９ｃについて説明する。右側フレーム部１０１の場合と同様に、左側フレーム部１００の左側面には、長手方向に沿って２本の凸状溝（図示省略）がそれぞれ平行に形成されている。側面排気口１２ａ〜１２ｃの上側には、一方の凸状溝内に挿入されたスライドナット１７（図６参照）と固定ネジ１５（図６参照）とで、排気用Ｌ型プレート１０ａ〜１０ｃがそれぞれ所定の位置に取り付けられている。排気用Ｌ型プレート１０ａ〜１０ｃは、側面排気口１２ａ〜１２ｃの開口面積を調整できるように、スライドナット１７を介して上下方向に摺動できる構造になっている。
【００２５】
次に、図１と図５を用いて補助壁２０内の空気の流れについて説明する。図５は、補助壁２０内の空気の流れを示す図である。ここで、３つの列のディスプレイ１ａ〜１ｉの空気の流れはそれぞれ同じであるため、左列のディスプレイ１ａ，１ｄ，１ｇについてのみ説明することとする。左列において、吸気口４から取り込まれたフレッシュな外気が、右側フレーム部１０１の下端１０６から矢印方向に流入する。ディスプレイ１ｇに対しては、側面吸気口１１ａから矢印方向に流入し、ディスプレイ１ｇが発熱することで温められた空気が側面排気口１２ａから矢印方向に排出され、左側フレーム部１００内へ排出される。
【００２６】
ディスプレイ１ｄに対しては、右側フレーム部１０１の下端１０６から流入した外気が、側面吸気口１１ｂから矢印方向に流入し、ディスプレイ１ｄが発熱することで温められた空気が側面排気口１２ｂから矢印方向に排出され、左側フレーム部１００内へ排出される。
【００２７】
ディスプレイ１ａに対しては、右側フレーム部１０１の下端１０６から流入した外気が、側面吸気口１１ｃから矢印方向に流入し、ディスプレイ１ａが発熱することで温められた空気が側面排気口１２ｃから矢印方向に排出され、左側フレーム部１００内へ排出される。ディスプレイ１ａ，１ｄ，１ｇを通って左側フレーム部１００内に排出された空気は、左側フレーム部１００の上端１０７から排気口５を介して外部へ排出される。
【００２８】
次に、中空フレーム７の構造について説明する。図６は、図２の一点鎖線で囲んだ部分VIの拡大図である。図６に示すように、中空フレーム７は、左側フレーム部１００と、右側フレーム部１０１と、２つのリブ１０３と、凹部１０４とで断面視にてメガネ形状となっている。
【００２９】
リブ１０３は、ディスプレイ１ａ〜１ｉの背面に密着することで横方向に隣接するディスプレイ間の背面側を仕切るとともに、凹部１０４は、各ディスプレイ１ａ〜１ｉに接続されるケーブル１５０（配線）を通すための内部空間として利用され、ケーブル１５０を各列のディスプレイの下段から上段まで上下方向に配線する構造となっている。２つのリブ１０３のうちの少なくとも一方の突出部分には、ケーブル１５０を通すことが可能なケーブル通線穴１０５が設けられ、各ディスプレイ１ａ〜１ｉに対してケーブル１５０を用いて接続できる構造となっている。ここで、ケーブル通線穴１０５は冷却構造に影響のない範囲（寸法）で設けられている。
【００３０】
図５を用いて説明したように、右側フレーム部１０１は、ディスプレイ１ａ〜１ｉの吸気用ダクト（吸気用通路）として機能している。吸気用Ｌ型プレート９ａ〜９ｃは、側面吸気口１１ａ〜１１ｃの開口面積を調整することで外気の吸気量を調整することが可能である。また、左側フレーム部１００は、ディスプレイ１ａ〜１ｉの排気用ダクト（排気用通路）として機能している。排気用Ｌ型プレート１０ａ〜１０ｃは、側面排気口１２ａ〜１２ｃの開口面積を調整することでディスプレイ１ａ〜１ｉから排気される空気の排気量を調整することが可能である。
【００３１】
なお、リブの個数は２つに限定されることはなく、１つまたは３つ以上であってもよいし、例えば中空フレームにリブが形成されていなくてもよい。この場合、中空フレームの内部空間は１つとなるが、１つの内部空間にケーブル１５０を通すとともに、空気を流動させるためのスペースを確保できるように、中空フレームの寸法が設定される。
【００３２】
次に、実施の形態１に係るマルチビジョン表示装置から得られる効果について、前提技術に係るマルチビジョン表示装置および特許文献１に記載のマルチビジョン表示装置と対比しながら説明する。図９は、前提技術に係るマルチビジョン表示装置の断面図である。
【００３３】
最初に、前提技術に係るマルチビジョン表示装置について説明する。各ディスプレイ１ａ〜１ｉは、壁２００の壁面から突出する筐体６で前側が覆われた状態で施工され、各ディスプレイ１ａ〜１ｉは、取り付け金具１６を介して壁２００の壁面に取り付けられたり、或いは取り付け金具１６と補強用の鋼材２３とを介して壁２００の壁面に取り付けられたりしている。壁２００、取り付け金具１６または鋼材２３の精度が高くなく、さらに取り付け金具１６または鋼材２３の強度が低い場合には、取り付け精度が悪くなるなどの問題があった。
【００３４】
このため、取り付け精度を向上させるために行われる壁面の平面のレベル合わせ、または位置出しに時間がかかったりすることから、前提技術に係るマルチビジョン表示装置は効率が悪い構造であった。また、内部で配線されるケーブルも制限された設置スペースの中で配線されていたため、整線して効率的に配線されていないことが多かった。
【００３５】
これに対して、実施の形態１に係るマルチビジョン表示装置では、複数のディスプレイ１ａ〜１ｉを壁面に取り付けるための補助壁２０を備え、補助壁２０は、壁面と複数のディスプレイ１ａ〜１ｉとの間に配置された複数の中空フレーム７を備えたため、補助壁２０は、軽量でかつ所定の剛性を有し歪みが少なくなることから、複数のディスプレイ１ａ〜１ｉの取り付け精度が向上する。
【００３６】
また、中空フレーム７の内部空間に沿って配線を行うことができるため、きれいに整線することができ、施工・メンテナンスを容易に行うことが可能となる。さらに、中空フレーム７の内部空間に空気を流動させることができるため、限定された設置スペースの中で効率的にディスプレイ１ａ〜１ｉを冷却することが可能となる。
【００３７】
補助壁２０は中空フレーム７を用いて構成されたため軽量となり、マルチビジョン表示装置の軽量化を図ることが可能となる。また、補助壁２０は所定の剛性を有するため、マルチビジョン表示装置の耐久性が向上し、マルチビジョン表示装置について長期使用が可能となる。
【００３８】
補助壁２０は、中空フレーム７の内部空間を複数に仕切り、かつ、中空フレーム７の長手方向に延びるリブ１０３をさらに備えたため、中空フレーム７の剛性をさらに向上させることができる。また、リブ１０３で複数に仕切られた内部空間のうち、少なくとも１つの内部空間に沿って配線を行うことができるため、施工・メンテナンスをさらに容易に行うことが可能となるとともに、配線を行った内部空間以外の内部空間に空気を流動させることができるため、限定された設置スペースの中でさらに効率的にディスプレイ１ａ〜１ｉを冷却することが可能となる。
【００３９】
また、特許文献１に記載のマルチビジョン表示装置では、各吸気口からフレッシュな空気を吸い込み、排気口から内部の空気を排熱する構成となっている。すなわち、吸気口、排気口およびディスプレイが同一空間に存在している。この場合は、各ディスプレイからの発熱した空気にムラが生じるなどディスプレイ自身が排熱した熱で温められるため、冷却構造としては十分な機能を果たしていない。
【００４０】
これに対して実施の形態１に係るマルチビジョン表示装置では、中空フレーム７は、壁面と複数のディスプレイ１ａ〜１ｉとの間において各ディスプレイ１ａ〜１ｉの横方向両端部に対応する位置にそれぞれ配置され、補助壁２０は、中空フレーム７とで各ディスプレイ１ａ〜１ｉ毎に背面側を仕切る複数の仕切り板１３と、中空フレーム７において各ディスプレイ１ａ〜１ｉの対角位置に対応する位置に設けられるとともに中空フレーム７の内部空間と連通する側面吸気口１１ａ〜１１ｃまたは側面排気口１２ａ〜１２ｃとをさらに備えた。
【００４１】
したがって、補助壁２０を用いて各ディスプレイ１ａ〜１ｉの発熱空間を仕切り、かつ、中空フレーム７について吸気側と排気側とに分けてダクト構造を構成することができるため、冷却効率のよい冷却構造を構築することが可能となる。
【００４２】
中空フレーム７の内部空間は、リブ１０３を用いて３つの内部空間に仕切られ、３つの内部空間のうちの中央の内部空間である凹部１０４は、各ディスプレイ１ａ〜１ｉに接続されるケーブル１５０を通すための空間であり、凹部１０４と隣接する内部空間である左側フレーム部１００および右側フレーム部１０１は、それぞれが側面吸気口１１ａ〜１１ｃまたは側面排気口１２ａ〜１２ｃと連通する吸気用または排気用通路である。
【００４３】
したがって、中空フレーム７について吸気側と排気側とに分けてダクト構造を構成した上、ケーブル１５０を通すための空間についても別途設けたことで、施工・メンテナンスの容易性と、冷却性能とをさらに向上させることが可能となる。
【００４４】
補助壁２０は、側面吸気口１１ａ〜１１ｃの開口面積を調整する吸気用Ｌ型プレート９ａ〜９ｃと、側面排気口１２ａ〜１２ｃの開口面積を調整する排気用Ｌ型プレート１０ａ〜１０ｃとをさらに備えたため、ディスプレイ１ａ〜１ｉの背面側空間の温度をディスプレイ１ａ〜１ｉの容量または温度に応じて調整することができる。ディスプレイ１ａ〜１ｉを大型化する場合は、側面吸気口１１ａ〜１１ｃおよび側面排気口１２ａ〜１２ｃの開口面積を大きくし、これに対応することも可能である。
【００４５】
＜実施の形態２＞
次に、実施の形態２に係るマルチビジョン表示装置について説明する。図７は、実施の形態２に係るマルチビジョン表示装置の斜視図であり、図８は、図７のVIII-VIII線断面図である。なお、実施の形態２において、実施の形態１で説明したものと同一の構成要素については同一符号を付して説明は省略する。
【００４６】
実施の形態１に係るマルチビジョン表示装置は、壁２００をくり抜いて形成された凹部２の壁面に設置されたが、実施の形態２に係るマルチビジョン表示装置は、壁２００をくり抜かずに壁２００の壁面に設置され、壁２００の壁面から突出する筐体６でディスプレイ１ａ〜１ｉの前側が覆われた状態で施工されている。なお、補助壁２０を含むその他の構成は実施の形態１の場合と同様であるため説明を省略する。
【００４７】
筐体６の下端部には吸気口４ａ，４ｂ，４ｃが設けられ、筐体６の上端部には排気口５ａ，５ｂ，５ｃが設けられている。吸気口４ａは、左側の列のディスプレイ１ａ，１ｄ，１ｇの左端部に配置された中空フレーム７の右側フレーム部１０１の下端１０６と直結され、当該右側フレーム部１０１の内部空間と連通している。吸気口４ｂは、中央の列のディスプレイ１ｂ，１ｅ，１ｈの左端部に配置された中空フレーム７の右側フレーム部１０１の下端１０６と直結され、当該右側フレーム部１０１の内部空間と連通している。吸気口４ｃは、右側の列のディスプレイ１ｃ，１ｆ，１ｉの左端部に配置された中空フレーム７の右側フレーム部１０１の下端１０６と直結され、当該右側フレーム部１０１の内部空間と連通している。
【００４８】
排気口５ａは、左側の列のディスプレイ１ａ，１ｄ，１ｇの右端部に配置された中空フレーム７の左側フレーム部１００の上端１０７と直結され、当該左側フレーム部１００の内部空間と連通している。排気口５ｂは、中央の列のディスプレイ１ｂ，１ｅ，１ｈの右端部に配置された中空フレーム７の左側フレーム部１００の上端１０７と直結され、当該左側フレーム部１００の内部空間と連通している。排気口５ｃは、右側の列のディスプレイ１ｃ，１ｆ，１ｉの右端部に配置された中空フレーム７の左側フレーム部１００の上端１０７と直結され、当該左側フレーム部１００の内部空間と連通している。
【００４９】
したがって、実施の形態２に係るマルチビジョン表示装置においても、実施の形態１の場合と同様の効果が得られる。
【００５０】
なお、本発明は、その発明の範囲内において、各実施の形態を自由に組み合わせたり、各実施の形態を適宜、変形、省略することが可能である。
【符号の説明】
【００５１】
１ａ，１ｂ，１ｃ，１ｄ，１ｅ，１ｆ，１ｇ，１ｈ，１ｉ  ディスプレイ、７  中空フレーム、９ａ，９ｂ，９ｃ  吸気用Ｌ型プレート、１０ａ，１０ｂ，１０ｃ  排気用Ｌ型プレート、１１ａ，１１ｂ，１１ｃ  側面吸気口、１２ａ，１２ｂ，１２ｃ  側面排気口、１３  仕切り板、２０  補助壁、１０３  リブ。
【図１】
2014232244.tif 000003
【図２】
2014232244.tif 000004
【図３】
2014232244.tif 000005
【図４】
2014232244.tif 000006
【図５】
2014232244.tif 000007
【図６】
2014232244.tif 000008
【図７】
2014232244.tif 000009
【図８】
2014232244.tif 000010
【図９】
2014232244.tif 000011